(57)【要約】【課題】従来のテレビ、ラジオ、新聞等のマスメディアによらない、企業体等の名称や新商品のネーミング等を含む、ブランド等の周知、拡張システムの提供。【解決手段】ブランド等の周知、拡張を指向するＭ社１（企業体等）と、ブランド等の周知、拡張を委嘱された事業体２と、Ｍ社１が推奨し又は提携する各種店舗等３と、会員登録し顧客４となった主に既婚又は、未婚の成人女性により構成され、Ｍ社１又は事業体２は、ホームページＨの開設、パイロットショップＰを出店し、各種店舗等３及び顧客４の管理その他の業務を、インターネットＮ及び公衆回線網２ｔ等を介して行う。【選択図】　図１
2004038908.tif 000002
【特許請求の範囲】
【請求項１】
ブランド等の周知、拡張システムであって、
ブランド等の周知、拡張を指向する、企業体、団体又は組織体と、
前記企業体、団体又は組織体の委嘱を受けて、ブランド等の周知、拡張のために各種業務と運営、管理等を行う事業体と、
前記企業体、団体、組織体又は事業体が、ブランド等の周知、拡張のための手段として商品販売又は、役務サービス等について、推奨し又は提携する各種店舗等と、
趣味嗜好品に関心あるか又は、その趣味嗜好品の購入を希望する主に、既婚又は、未婚の成人女性よりなる会員登録した顧客と、
よりなることを特徴とする、ブランド等の周知、拡張システム。
【請求項２】
前記ブランド等が、企業名、団体名、組織名と前記企業体、団体、又は組織体が商標登録又は使用する、文字商標、図形商標及び文字と図形の組合せよりなる商標又は立体商標の他、非登録の図形、社章、キャッチコピー、キャラクターグッズ等のうちのいずれかである請求項１記載の、ブランド等の周知、拡張システム。
【請求項３】
前記事業体が、企業体、団体又は組織体のブランド等の周知、拡張のために遂行する各種の業務が、企業体、団体、組織体又は、当該事業体に関連する印刷物の発行、インターネット上のホームページの開設、趣味嗜好品の販売店舗の出店及びその目的のために協力し提携する各種店舗等との契約と、その運営、管理等であることを特徴とする請求項１乃至請求項２記載の、ブランド等の周知、拡張システム。
【請求項４】
前記企業体、団体、組織体又は事業体が、商品購入又は、役務サービス等について、推奨し又は提携する各種店舗等が少なくとも、各種レストラン、料理店、バー、喫茶店等の飲食店、酒屋、食料品店、和洋菓子等の店舗等、デパート、スーパー、コンビニの等の店舗等、ホテル、旅館等の宿泊施設等、ブティック、宝石、自動車、ペット等の動産販売を目的とする店舗等、美容室、マッサージ、エステティック等の役務提供を目的とする店舗等、レンタルビデオ等動産の賃貸、レンタルを目的とする店舗等、旅行業、不動産業等の役務提供、動産販売等の仲介を目的とする店舗等、冠婚葬祭業、語学教室、料理教室等の各種実利、趣味等の講習、教授等を目的とする施設等、スポーツクラブ、ゴルフ場、ゲームセンター、野球場、サッカー場、その他競技場等の娯楽施設等、宗教団体、学校法人等の多数の会員等を擁する団体の施設等、銀行、保険、証券、クレジット等の金融、保険業の店舗及び無店舗等、その他上記動産販売、役務提供等が、店舗施設以外の場所で行われる場合を含むことを特徴とする請求項１乃至請求項３記載の、ブランド等の周知、拡張システム。
【請求項５】
前記趣味嗜好品が、生産者及び販売者が表示された厳選、高級かつ、高品質な、趣味、嗜好を満足させる、請求項４記載の店舗等で販売される動産、役務提供に供されるものであることを特徴とする請求項１乃至請求項３記載の、ブランド等の周知、拡張システム。
【請求項６】
前記趣味嗜好品の販売店舗には少なくとも、タッチパネル、ＣＲＴ等の入出力機能付き端末機の他、ビデオカメラ、デジタルカメラ、マイク、ビデオテープ等の録音、録画機器を具備してなることを特徴とする請求項１乃至請求項５記載の、ブランド等の周知、拡張システム。
【請求項７】
前記企業体、団体、組織体又は事業体と趣味嗜好品の販売店舗及び各種店舗等と会員登録した顧客との情報通信が、少なくともインターネット等を含む無線回線網又は公衆回線網等を介してなされることを特徴とする、請求項１乃至請求項６記載の、ブランド等の周知、拡張システム。
【請求項８】
前記会員登録した顧客の個人情報には、少なくとも趣味嗜好品の他、姓名、性別、生年月日、住所、職業、年令、血液型、既婚、未婚、結婚記念日、クレジット番号、電話番号、ＦＡＸ番号、Ｅメールアドレス等のうちいずれかが含まれていることを特徴とする請求項１乃至請求項７記載の、ブランド等の周知、拡張システム。
【請求項９】
前記ブランド等の周知、拡張システムに加入した各種店舗等の店内又は、その商品等の包装紙、包装容器等に提携する企業体、団体又は、組織体のブランド等が表示されていることを特徴とする、請求項１乃至請求項８記載の、ブランド等の周知、拡張システム。
【発明の詳細な説明】
【０００１】
【発明の属する技術分野】本発明は、ブランド等の周知、拡張システムに係り、特には、ブランド等の周知、拡張を指向する、企業体、団体又は組織体と、上記、企業体等の委嘱を受けた事業体が、テレビ、ラジオ等のメディア以外の方法による、ブランド等の周知、拡張システムに関する。ここにいう、ブランド等とは、少なくとも企業名、団体名、組織名と前記企業体、団体、又は組織体が商標登録又は使用する、文字商標、図形商標及び文字と図形の組合せよりなる商標又は、立体商標の他、非登録の図形、社章、キャッチコピー、キャラクターグッズ等が含まれる。
【０００２】
【従来の技術】従来、企業体、団体又は組織体がその企業名、団体名、組織名や新商品のネーミングを周知、拡張する手段、方法としては、テレビ、ラジオ、新聞、ポスター等のマスメディアによるのが一般的である。また近年、インターネット及びパソコン等の急速な普及に伴い、ホームページの開設により、その企業体等の名称や新商品のネーミング等の周知が図られている。
【０００３】
【発明が解決しようとする課題】しかしながら、上記、マスメディアを介してのそれは、高価な広告宣伝費のわりに実効が伴わない上にマンネリ化しているのが実情である。またインターネット上のホームページにアクセスするのは、特定の企業体に関心又は興味を持つ者に限定され、その数も希少である。本発明は、上記、従来における企業体のブランド等の周知、拡張手段、方法と異なり、有効かつ、特色あるブランド等の周知、拡張システムを提供することを目的としている。
【０００４】
【課題を解決するための手段】請求項１に係る、ブランド等の周知、拡張システムは、ブランド等の周知、拡張システムであって、ブランド等の周知、拡張を指向する、企業体、団体又は組織体と、前記企業体、団体又は組織体の委嘱を受けて、ブランド等の周知、拡張のために各種業務の運営、管理等を行う事業体と、前記企業体、団体、組織体又は事業体が、ブランド等の周知、拡張のための手段として商品販売又は、役務サービス等について、推奨し又は提携する各種店舗等と、趣味嗜好品に関心あるか又は、その趣味嗜好品の購入を希望する主に、既婚又は、未婚の成人女性よりなる会員登録した顧客と、よりなることを特徴としている。
【０００５】
請求項２に係る、ブランド等の周知、拡張システムは、前記ブランド等が、企業名、団体名、組織名と前記企業体、団体、又は組織体が商標登録又は使用する、文字商標、図形商標及び文字と図形の組合せよりなる商標又は立体商標の他、非登録の図形、社章、キャッチコピー、キャラクターグッズ等のうちのいずれかである請求項１記載のものであることを特徴としている。
【０００６】
請求項３に係る、ブランド等の周知、拡張システムは、請求項１乃至請求項２記載されているもので、前記事業体が、企業体、団体又は組織体のブランド等の周知、拡張のために遂行する各種の業務が、企業体、団体、組織体又は、当該事業体に関連する印刷物の発行、インターネット上のホームページの開設、趣味嗜好品の販売店舗の出店及びその目的のために協力し提携する各種店舗等との契約と、その運営、管理等であることを特徴としている。
【０００７】
請求項４に係る、ブランド等の周知、拡張システムは、請求項１乃至請求項３に記載されているもので、前記企業体、団体、組織体又は事業体が、商品購入又は、役務サービス等について、推奨し又は提携する各種店舗等が少なくとも、各種レストラン、料理店、バー、喫茶店等の飲食店、酒屋、食料品店、和洋菓子等の店舗等、デパート、スーパー、コンビニの等の店舗等、ホテル、旅館等の宿泊施設等、ブティック、宝石、自動車、ペット等の動産販売を目的とする店舗等、美容室、マッサージ、エステティック等の役務提供を目的とする店舗等、レンタルビデオ等動産の賃貸、レンタルを目的とする店舗等、旅行業、不動産業等の役務提供、動産販売等の仲介を目的とする店舗等、冠婚葬祭業、語学教室、料理教室等の各種実利、趣味等の講習、教授等を目的とする施設等、スポーツクラブ、ゴルフ場、ゲームセンター、野球場、サッカー場、その他競技場等の娯楽施設等、宗教団体、学校法人等の多数の会員等を擁する団体の施設等、銀行、保険、証券、クレジット等の金融、保険業の店舗及び無店舗等、その他上記動産販売、役務提供等が、店舗施設以外の場所で行われる場合を含むことを特徴としている。
【０００８】
請求項５に係る、ブランド等の周知、拡張システムは、請求項１乃至請求項４に記載されているもので、前記趣味嗜好品が、生産者及び販売者が表示された厳選、高級かつ、高品質な、趣味、嗜好を満足させる請求項４記載の店舗等で販売される動産、役務提供に供されるものであることを特徴としている。
【０００９】
請求項６に係る、ブランド等の周知、拡張システムは、請求項１乃至請求項５に記載されているもので、前記趣味嗜好品の販売店舗には少なくとも、タッチパネル、ＣＲＴ等の入出力機能付き端末機の他、ビデオカメラ、デジタルカメラ、マイク、ビデオテープ等の録音、録画機器を具備してなることを特徴としている。
【００１０】
請求項７に係る、ブランド等の周知、拡張システムは、請求項１乃至請求項６に記載されているもので、前記企業体、団体、組織体又は事業体と趣味嗜好品の販売店舗及び各種店舗等と会員登録した顧客との情報通信が、少なくともインターネット等を含む無線回線網又は公衆回線網等を介してなされることを特徴としてる。
【００１１】
請求項８に係る、ブランド等の周知、拡張システムは、請求項１乃至請求項７に記載されているもので、前記会員登録した顧客の個人情報には、少なくとも趣味嗜好品の他、姓名、性別、生年月日、住所、職業、年令、血液型、既婚、未婚、結婚記念日、クレジット番号、電話番号、ＦＡＸ番号、Ｅメールアドレス等のうちいずれかが含まれていることを特徴としている。
【００１２】
請求項９に係る、ブランド等の周知、拡張システムは、請求項１乃至請求項８に記載されているもので、前記ブランド等の周知、拡張システムに加入した各種店舗等の店内又は、その商品等の包装紙、包装容器等に提携する企業体、団体又は、組織体のブランド等が表示されていることを特徴とする。
【００１３】
【発明、の実施の形態】以下、本発明の好適な一実施例につき、図面を参照にして説明する。図１は、本発明に係る、ブランド等の周知、拡張システムの概略構成図で、図２は、趣味嗜好品の販売店舗（以下、パイロットショップという）の平面図、図３及び図４は、フローチャートである。
【００１４】
図１において、１は、ブランド等の周知、拡張を指向する企業体、団体又は組織体（以下、Ｍ社という）で、その周知、拡張を委嘱する事業体２に必要な資金を提供し、事業体２は、その資金を原資として、Ｍ社１又は事業体２に関連する印刷物例えば、ステッカー、ラベル、ポスター、ロゴマークその他ガイドブック即ち、ある商品又は役務サービスについて、Ｍ社１とその商品又は、役務についての業界の専門家を含むスタッフが商品の品質、素材、デザイン又は、役務の質、接客応対等を綜合評価したランキング紹介誌等を刊行、発売すると共に、インターネットＮ上のホームページＨを開設し、Ｍ社１の会社概要説明の他、Ｍ社１が推奨し又は提携する各種店舗等３を動画像又は、静止画像で紹介する。さらに、事業体２は、趣味嗜好品例えば、世界各地で生産され美味とされる、ワインを廉価で試飲できるパイロットショップＰを地域毎に出店し、来店又は、インターネットＮを介して会員登録した顧客４にその店内で各種のワインを試飲又は、販売すると共に、その店のソムリエその他の従業員が、それぞれのワインにあった料理を提供する例えば、フランス料理店３ａ、日本料理店３ｂ等を紹介する。
【００１５】
事業体２は、ＣＰＵ等を含む制御手段２ａと、ＲＡＭ、ＲＯＭ等の記憶手段２ｂと、顧客４及びＭ社１が推奨し又は提携する店舗等３のフランス料理店３ａ、日本料理店３ｂ、喫茶店３ｃ、ケーキショップ３ｄ、料理旅館３ｅ、ホテル３ｆ、旅行社３ｇ、チケットショップ３ｈ、ブティック３ｉ，皮革製品店３ｊ、宝石店３ｋ、化粧品店３ｌ、美容室３ｍ、エステティックサロン３ｎ．．．と各種データ等の送受信を行う通信手段２ｃと、キーボード、マウス等の入力手段２ｄと、検索手段２ｅ、ＣＲＴ等の表示手段２ｆを具備したサーバマシーンＳを管理し、公衆回線網２ｔを具備している。
【００１６】
図２は、パイロットショップＰの平面図で、Ｐａは店舗入口で、その正面壁面他に録画用のビデオカメラＰｂが設置され、カウンターＰｃが、適宜、パイロットショップＰの面積に合わせて配設されている。Ｐｄは顧客４用の椅子、ＰｅはカウンターＰｃ内に顧客４との会話録音用に設置したマイク、Ｐｔはタッチパネル、ＣＲＴ等の入出力機能付き端末機、Ｐｆは商品陳列棚で、Ｐｍはソムリエ等の男性従業員、Ｐｗは女性従業員、Ｐｐは会員登録申し込み用紙である。
【００１７】
図３及び図４は、本発明に係る、ブランド等の周知、拡張システムの動作を示すフローチャートで、図３に示すように先ず、Ｍ社１又は事業体２が、パイロットショップＰで販売する趣味嗜好品を例えば、ワインに決めた場合、主に顧客４としたい、既婚又は、未婚の成人女性を対象にマーケティングリサーチ（Ｓ１）して複数種のワインを選定（Ｓ２）し、これらのワインを購入し、そのワインにあった料理を提供するフランス料理店３ａ、日本料理店３ｂ等の他、Ｍ社１のブランド等の周知、拡張に協力する各種店舗等３が複数加入した提携グループを構築（Ｓ３）する。
【００１８】
次に、事業体２は、ホームページＨを開設（Ｓ４）すると共に、Ｍ社１のガイドブックの他グルメ雑誌、パンフレット等を発行（図４のＳ３０）し又、地域毎にパイロットショップＰを出店（図４のＳ４０）し、上記、Ｍ社１のガイドブックの他グルメ雑誌、パンフレット等とホームページＨの掲示板では、ワインの銘柄の他、産地、年代、パイロットショップＰの案内図等を表示し、パイロットショップＰ内にて廉価で各種のワインと酒肴が試飲、試食できることかつ、会員登録すれば、誕生日、結婚記念日等にグリーティングカードのプレゼントや各種商品の割引制度、ポイント付与システム等の特典があること、提携グループ内には、主な顧客４である成人女性の興味を惹くグルメレストラン（フランス料理店３ａ、日本料理店３ｂ）、各種商品の販売店３の他、旅行社３ｇ、旅館３ｅ、等が提携グループとしてネットワークされていることを紹介又は表示する（Ｓ５）。
【００１９】
ホームページＨを閲覧し、会員登録を希望する成人女性は、自己の端末機又は、Ｅメール等によりインターネットＮを介し、事業体２に趣味嗜好品の他、姓名、性別、生年月日、住所、職業、年令等所定の個人情報を送信する（Ｓ６）。
【００２０】
会員登録を希望する女性から送信された個人情報を、事業体２のサーバマシンＳの通信手段２ｃで受信し（Ｓ７）し、その個人情報に何らの問題がなければ、直ちに会員登録し、会員登録希望の女性に識別番号を送信すると共に、入力手段２ｄにより識別番号と個人情報をサーバマシンＳに格納する（Ｓ９）。
【００２１】
会員登録した顧客４の個人情報の趣味に例えば、海外旅行があれば、検索手段２ｅを活用し、海外旅行に実績があり、Ｍ社１のガイドブックで高ランクに表記されているシステム加入メンバーの旅行社３ｇを検索し、顧客４にその旅行社３ｇのアクセス番号、所在地等を通信手段２ｃにより送信する（Ｓ１０）。
【００２２】
又同時に、事業体２は旅行社３ｇに顧客４の識別番号及び個人情報等を送信し（Ｓ１３）、これを受信した旅行社３ｇは、自社のアクセス番号、所在地、業務内容等を顧客４に送信する（Ｓ１４）。これを受信した顧客４と旅行社３ｇとは旅行の目的地、時期、費用等についての商談を進め、各項目について合意すれば契約成立となる（Ｓ１５）。
【００２３】
旅行社３ｇは、自社の端末機によりその契約内容等を蓄積すると共に、事業体２にそれらの内容を送信する（Ｓ１１）。
【００２４】
事業体２は、サーバマシンＳの通信手段２ｃでこれ受信し（Ｓ７）し、旅行社３ｇと顧客４の契約内容等をＲＡＭ、ＲＯＭ等の記憶手段２ｂで保存、格納する（Ｓ１２）。
【００２５】
次に、図４は、図３における本発明のブランド等の周知、拡張システムの動作についての他の動作を示すもので、Ｍ社１又は事業体２が、パイロットショップＰで販売する趣味嗜好品を例えば、ワインに決めた場合、主に顧客４としたい、既婚又は、未婚の成人女性を対象にマーケティングリサーチ（Ｓ１）して複数種のワインを選定（Ｓ２）し、Ｍ社１のブランド等の周知、拡張に協力する提携グループを構築（Ｓ３）し、事業体２は、その資金を原資として、Ｍ社１又は事業体２に関連する印刷物例えば、ステッカー、ラベル、ポスター、ロゴマークその他ガイドブック即ち、ある商品又は役務サービスについて、Ｍ社１とその商品又は、役務についての業界の専門家を含むスタッフが商品の品質、素材、デザイン又は、役務の質、接客応対等を綜合評価したランキング紹介誌等を刊行、発売する（Ｓ３０）。
【００２６】
又、事業体２は、趣味嗜好品例えば、世界各地で生産され美味とされる、ワインを廉価で試飲できるパイロットショップＰを地域毎に出店する（Ｓ４０）。
【００２７】
パイロットショップＰにおいては、来店した主に既婚又は未婚の成人女性（以下、客という）を店舗入口ＰａでビデオカメラＰｂにより撮影し、カウンターＰｃの前に着席した客を複数のビデオカメラＰｂにより撮影、録画すると共に、マイクＰｅにより、客とソムリエ等の男性従業員Ｐｍ、女性従業員Ｐｗとの会話を録音（Ｓ４１）し、各種のワインと酒肴を試飲、試食（Ｓ４２）しながらそれぞれのワインにあった料理を提供する例えば、フランス料理店３ａ、日本料理店３ｂ等を紹介する（Ｓ４３）。
【００２８】
ソムリエ等の男性従業員Ｐｍ、女性従業員Ｐｗは、それぞれのカウンターＰｃの前に着席した客に、会員登録し顧客４となれば、誕生日、結婚記念日等にグリーティングカードのプレゼントや各種商品の割引制度、ポイント付与システム等の特典があること、提携グループ内には、女性の興味を惹くグルメレストラン（フランス料理店３ａ、日本料理店３ｂ）、各種商品の販売店３の他、旅行社３ｇ、旅館３ｅ、等が提携グループとしてネットワークされていることを説明して会員登録を勧誘する（Ｓ４４）。
【００２９】
会員登録について考慮したい客には、登録申し込み用紙Ｐｐを付与する（Ｓ４５）と共に、後日最寄りのパイロットショップＰに持参するか、端末機で申し込むよう依頼し又、その場で会員登録を希望する客には、カウンターＰｃに設置している端末機Ｐｔにより、所定の項目を入力し、事業体２のサーバマシンＳに送信する（Ｓ４６）。
【００３０】
送信された客の個人情報を、事業体２のＣＰＵ２ａで検討し、問題がないときは、会員登録を認め、識別番号を付与し（Ｓ８）、入力手段２ｄにより識別番号と個人情報をサーバマシンＳに格納する（Ｓ９）と同時に、会員登録された顧客４の個人情報内容の分析と検索（Ｓ４７）を行い、例えば顧客４の趣味又は関心事が宝飾品とされている場合、提携グループメンバーの宝石店３ｋに、顧客４の個人情報の内容を送信し（Ｓ１３）、これを受信した宝石店３ｋは、その顧客４の希望する連絡手段で自社のアクセス番号、所在地、商品内容等を顧客４に送信する（Ｓ１４）。
【００３１】
これを受信した顧客４と宝石店３ｋは、当該商品について商談を行い、両者が合意すれば、商品の売買契約が成立する（図３のＳ１５）。宝石店３ｋは、自社の端末機等によりその契約内容等を蓄積すると共に、事業体２にそれらの内容を送信する（Ｓ１１）。
【００３２】
事業体２は、サーバマシーンＳの通信手段２ｃでこれ受信し（Ｓ７）し、宝石店３ｋと顧客４の契約内容等をＲＡＭ、ＲＯＭ等の記憶手段２ｂで保存、格納（Ｓ１２）して完了する。
【００３３】
【発明の効果】上述の通り、本発明に係るブランド等の周知、拡張システムは、従来のマスメディアによる企業体等の名称や新商品のネーミング等の周知手段、方法と異なり、以下の効果を奏する。即ち、▲１▼経済的、時間的に余裕のある既婚又は、未婚の成人女性をシステムの重要な構成員としているので、経済的又、社会的面において経済効果及び注目度が高まり、ブランド等の周知、拡張効果が増大される。▲２▼ホームページＨの開設、趣味嗜好品のパイロットショップＰの出店及び提携する各種店舗等３により、顧客４の増員が図られる。▲３▼提携する各種店舗等３の業種は、主な顧客４である既婚又は、未婚の成人女性が興味、関心が強い商品や役務サービス関連であるので、システムに加入し提携各種店舗等３の業績は向上すると共に少なくとも、なんらかのブランドが各種店舗等３の店内又は、その販売商品等の包装紙、包装容器等に表示されているので、ブランド等の周知、拡張効果が高められる。
【図面の簡単な説明】
【図１】は、本発明に係る、ブランド等の周知、拡張システムの概略構成図。
【図２】は、同パイロットショップＰの平面図。
【図３】は、同フローチャート。
【図４】は、同フローチャート。
【符号の説明】
１　　Ｍ社（企業体等）
２　　事業体
３　　各種店舗等
４　　顧客
Ｓ　　サーバマシン
Ｎ　　インターネット
Ｈ　　ホームページ
Ｐ　　パイロットショップ
２ａ　制御手段
２ｂ　記憶手段
２ｃ　通信手段
２ｄ　入力手段
２ｅ　検索手段
２ｆ　表示手段
２ｔ　公衆回線網
【図１】
2004038908.tif 000003
【図２】
2004038908.tif 000004
【図３】
2004038908.tif 000005
【図４】
2004038908.tif 000006